(57)【要約】【課題】本発明は、吐出されるインクの種類に拘わりなく、常に良好なインク吐出性能を維持することができるインクジェット記録装置を提供する。【解決手段】記録ヘッド３の吐出口周辺に付着したインクを、ワイピング部材１０を用いたワイピング回復処理により除去する。この際、ワイピング回復処理は、記録ヘッド３に供給されるインクの種類に応じて制御される。【選択図】図３
2008126576.tif 000002
【特許請求の範囲】
【請求項１】
インクを吐出する吐出口を有する記録ヘッドを用いて記録を行うと共に、前記記録ヘッドから吐出させるインクの種類を変更可能なインクジェット記録装置であって、
前記記録ヘッドの吐出口周辺に付着したインクを、ワイピング部材を用いたワイピング回復処理により除去するワイピング回復手段と、
記録ヘッドに供給されるインクの種類に応じて、前記ワイピング回復手段のワイピング回復処理に関連する動作を制御する制御手段と、を備えたことを特徴とするインクジェット記録装置。
【請求項２】
前記ワイピング回復手段は、前記ワイピング部材のワイピング動作によって前記記録ヘッドの吐出口周辺に付着したインクを払拭するワイピング手段と、前記ワイピング部材に液体を付与する液体付与手段と、を含み、
前記制御手段は、前記記録ヘッドから吐出させるインクの種類に応じて、前記ワイピング手段と、前記液体付与手段の少なくとも一方を制御することを特徴とする請求項１に記載のインクジェット記録装置。
【請求項３】
前記液体付与手段は、前記ワイピング部材に付着したインクを溶解させるために、前記記録ヘッドから前記ワイピング部材にインクを吐出することを特徴とする請求項１または２に記載のインクジェット記録装置。
【請求項４】
前記液体付与手段は、前記ワイピング部材に固着したインクとは異なるインクを、前記記録ヘッドから前記ワイピング部材に吐出すること特徴とする請求項３に記載のインクジェット記録装置。
【請求項５】
前記液体付与手段は、複数の記録ヘッドそれぞれに供給される複数種のインクのうち少なくとも一種類のインクを前記ワイピング部材に吐出することを特徴とする請求項３または４に記載のインクジェット記録装置。
【請求項６】
前記液体付与手段は、前記ワイピング部材に固着したインクを溶解させるクリーニング液を前記ワイピング部材へ塗布するクリーニング液塗布手段を備えることを特徴とする請求項１ないし５のいずれかに記載のインクジェット記録装置。
【請求項７】
前記クリーニング液塗布手段は、前記ワイピング部材と当接可能に設けられ、前記ワイピング部材との当接時において前記クリーニング液を前記ワイピング部材へ塗布すると共に、前記ワイピング部材との摺接によって前記ワイピング部材に付着したインクを掻き取ることを特徴とする請求項６に記載のインクジェット記録装置。
【請求項８】
前記制御手段は、前記記録ヘッドから吐出させるインクの粘度に応じて、前記ワイピング回復手段のワイピング回復処理に関連する動作を制御する制御手段と、を備えたことを特徴とする請求項１ないし７のいずれかに記載のインクジェット記録装置。
【請求項９】
前記制御手段は、前記記録ヘッドから吐出されるインクが粘度の高低に応じて、前記ワイピング回復手段によるワイピング動作の回数を増減させることを特徴とする請求項２ないし８のいずれかに記載のインクジェット記録装置。
【請求項１０】
前記制御手段は、前記記録ヘッドから吐出されるインクの粘度の高低に応じて、前記ワイピング動作速度を増減させることを特徴とする請求項２ないし９のいずれかに記載のインクジェット記録装置。
【請求項１１】
前記制御手段は、前記記録ヘッドから吐出されるインクの粘度の高低に応じて、前記ワイピング部材によって行われるワイピング動作速度を、前記粘度の高いインクを吐出する場合に比べて低下させることを特徴とする請求項２ないし１０に記載のインクジェット記録装置。
【請求項１２】
前記制御手段は、前記記録ヘッドから吐出されるインクの粘度の高低に応じて、前記液体付与手段から前記ワイピング部材への液体の供給量を増減させることを特徴とする請求項２ないし１１のいずれかに記載のインクジェット記録装置。
【請求項１３】
前記制御手段は、前記記録ヘッドを前記ワイピング部材がワイピングするタイミングに合わせて、前記記録ヘッドから前記ワイピング部材へとインクを吐出させることを特徴とする請求項２ないし１２のいずれかに記載のインクジェット記録装置。
【請求項１４】
インクを吐出する吐出口を有する記録ヘッドを用いて記録を行うと共に、前記記録ヘッドから吐出させるインクの種類を変更可能なインクジェット記録装置における回復方法であって、
前記記録ヘッドの吐出口周辺に付着したインクを、ワイピング部材を用いたワイピング回復処理により除去するワイピング回復工程と、
記録ヘッドに供給されるインクの種類に応じて、前記ワイピング回復手段のワイピング回復処理に関連する動作を制御する制御工程と、を備えたことを特徴とするインクジェット記録装置における回復方法。
【発明の詳細な説明】
【技術分野】
【０００１】
本発明は、インクを吐出する複数の吐出口を備えた記録ヘッドを用いて記録を行うインクジェット記録装置、およびインクジェット記録装置の記録ヘッドにおける吐出性能などを回復させる回復方法に関する。
【背景技術】
【０００２】
インク滴を吐出して記録媒体上に画像を形成するインクジェット記録方式の記録装置においては、複数の微細な吐出口およびそれらに連通する液路（以下、これらを含めてノズルと称す）などを形成した記録ヘッドが用いられる。このインクジェット記録装置では、液路内のインクに吐出口から気泡や塵埃が混入したり、インクに含有される溶剤の蒸発に起因してインクが増粘あるいは固着したりすることがある。この場合、記録ヘッドの吐出性能は大幅に低下する。すなわち、記録ヘッドには、吐出されたインク滴の着弾誤差や、インク滴の不吐出などが生じる。こうした記録ヘッドの吐出性能低下を回避するため、従来は、ノズル内に生じた増粘インクあるいは固化したインクを排出し、ノズル内のインクをリフレッシュする処理が行われている。以下、この処理を、吐出回復処理と称す。
【０００３】
吐出回復処理を行う手段の一形態としては、記録ヘッドの吐出口形成面を覆うことが可能なキャップと、このキャップに連通するポンプを設けたものがある。この形態では、キャップによって吐出口形成面を覆い、ポンプによってキャップ内に負圧を発生させて記録ヘッドのノズルからインクを強制的に吸出する。このため、この吐出回復処理は、吸引回復処理とも言われている。
【０００４】
また、吐出回復処理の形態としては、キャップを吐出口形成面に対向させた状態でノズル内に設けられたインク吐出エネルギー発生素子を駆動する形態もある。これによれば、キャップ内に増粘したインクや、気泡および塵埃を含んだインクなどがキャップ内に吐出され、ノズル内のインクをリフレッシュすることが可能となる。
【０００５】
なお、吐出回復処理によって、キャップやポンプ、およびこれらに連通する廃インクチューブなどを含む吐出回復装置に受容されたインクは、廃インクタンクへと導かれる。これはキャップを大気に開放した状態でポンプを作動させるいわゆる空吸引という動作によって行われる。
【０００６】
一方、記録ヘッドの吐出口形成面において、吐出口の周囲にインクや紙粉などの塵埃が付着することもインク吐出性能を低下させる要因となっている。この吐出不良要因を除去するために、従来は、吐出口形成面をブレードによってワイピングする回復処理（以下、ワイピング回復処理と称す）も行われている。
【０００７】
さらに、このようなワイピング回復処理では、ワイピング動作によってブレード上に増粘インクや塵埃などが固着して堆積することがある。ブレード上にインクや塵埃が固着した場合、ブレードによる回復効果は著しく低減する。そこで、記録ヘッドからブレード上にインクを吐出させ、ブレードに堆積した増粘インクや塵埃などを除去する方法が提案されている（特許文献１参照）。さらに、特許文献２には、ブレードをワイピングさせながら予備吐出を行うことにより、ブレードに付着したインクの除去を行うものも開示されている。なお、ここで言う予備吐出とは、記録動作の開始などにおいて、記録ヘッドのノズルの吐出性能を良好な状態に保つ目的で行われる、画像の形成に寄与しないインクの吐出を意味する。
【０００８】
また特許文献３では、ヘッドクリーニング液をブレードに塗布することで湿潤状態を保たせクリーニング性を向上させるというものも開示されている。
【０００９】
【特許文献１】特開平７−１６４６４３号公報
【特許文献２】特開平２−９５８６２号公報
【特許文献３】特開平６−７９８７９号公報
【発明の開示】
【発明が解決しようとする課題】
【００１０】
しかしながら、記録装置を用いた記録には、大面積への記録、連続的な記録あるいは高記録率（高デューティ）での記録などのように、多数のインクを吐出させて記録を行うことがある。また、インクの種類によって吐出回復処理手段の最適条件はそれぞれ異なる。この場合、上記特許文献に記載の技術では、記録ヘッドの吐出口形成面やブレードなどにインクが固着あるいは増粘した状態で残留し易い。このため、これらの技術では、記録ヘッドの吐出口形成面からインクを十分に除去し得ないことがある。
【００１１】
すなわち、上記特許文献に記載のインクジェット記録装置では、ブレードによる回復動作を常に一定回数だけ駆動している。このため、吐出口形成面あるいはブレードに残留しているインクが、固着・増粘といった除去し難い状態にあると、それらを十分に除去することができないことがある。特に、インクが固着したブレードはインク除去機能が低下した状態にあるため、吐出口形成面から十分にインクを除去することができない。  
このように、上記の特許文献に記載の技術では、記録ヘッドの吐出性能を良好に保ち得ない場合があり、記録ヘッドの不吐出や着弾精度の悪化などを十分に解消するには至っていない。
【００１２】
本発明は上記従来技術の課題に着目してなされたものであり、吐出されるインクの種類に拘わりなく、常に良好なインク吐出性能を維持することができるインクジェット記録装置の提供を目的とする。
【課題を解決するための手段】
【００１３】
上記課題を解決するため、本発明は以下の構成を有する。
【００１４】
すなわち、本発明の第１の形態は、インクを吐出する吐出口を有する記録ヘッドを用いて記録を行うと共に、前記記録ヘッドから吐出させるインクの種類を変更可能なインクジェット記録装置であって、前記記録ヘッドの吐出口周辺に付着したインクを、ワイピング部材を用いたワイピング回復処理により除去するワイピング回復手段と、記録ヘッドに供給されるインクの種類に応じて、前記ワイピング回復手段のワイピング回復処理に関連する動作を制御する制御手段と、を備えたことを特徴とする。
【００１５】
また、本発明の第２の形態は、インクを吐出する吐出口を有する記録ヘッドを用いて記録を行うと共に、前記記録ヘッドから吐出させるインクの種類を変更可能なインクジェット記録装置における回復方法であって、前記記録ヘッドの吐出口周辺に付着したインクを、ワイピング部材を用いたワイピング回復処理により除去するワイピング回復工程と、
記録ヘッドに供給されるインクの種類に応じて、前記ワイピング回復手段のワイピング回復処理に関連する動作を制御する制御工程と、を備えたことを特徴とする。
【発明の効果】
【００１６】
本発明によれば、インクの種類に応じてワイピング部材を用いたワイピング回復処理に関連する動作を変更することにより、記録ヘッドの吐出口形成面に残留するインクをインクの種類に拘わりなく低減することが可能になる。このため、記録ヘッドのインク吐出性能を常に良好な状態に保つことができ、記録ヘッドの吐出不良、着弾誤差などを軽減することができる。
【発明を実施するための最良の形態】
【００１７】
以下、図面を参照して本発明の実施形態を詳細に説明する。  
図１は本発明の一実施形態に係わるインクジェット記録装置を示す平面図である。  
図１において、１は記録用紙（記録媒体）の搬送系ユニット（図示せず）を含む各種の機構部を備えた記録装置本体を示している。この記録装置本体１と、これに搭載された後述の制御系とによりインクジェット記録装置が構成されている。なお、本実施形態におけるインクジェット記録装置は、シリアル型のインクジェット記録装置となっている。このシリアル型記録装置は、搬送系ユニットによって記録媒体をＹ方向へと間欠的に搬送すると共に、記録ヘッド３を記録媒体の搬送方向であるＹ方向（副走査方向）と直交する方向であるＸ方向（主走査方向）へと移動させながら記録動作を行う。また、図１に示す記録装置本体１は、比較的大判の記録媒体（例えば、Ａ１サイズ）への記録を行い得るよう、Ｘ方向におけるサイズを大型化した構成となっている。
【００１８】
また、図１において、２はキャリッジを示している。このキャリッジ２には、複数個（この実施形態では６個）の記録ヘッド３およびこの記録ヘッド３に供給するインタンク（図示せず）が着脱可能に搭載される。すなわち、記録ヘッドから吐出させるインクの種類を変更可能になっている。このキャリッジ２は記録ヘッド３と共に記録媒体の搬送方向と直交する方向（Ｘ方向）に沿って往復移動する。具体的には、キャリジ２は、Ｘ方向に沿って配置されたガイド軸４に沿って移動可能に支持されると共に、ガイド軸４と略平行に移動する無端ベルト５に固定されている。無端ベルト５は、キャリッジモータ（ＣＲモータ）の駆動力によって往復移動し、それによってキャリッジ２をＸ方向（主走査方向）に往復移動させる。
【００１９】
また、記録ヘッド３には、図２の模式図に示されるように吐出口形成面３ｂに形成される複数の吐出口３ａと、個々の吐出口３ａに対応して形成された複数の液路（図示せず）と、複数の液路にインクを供給する共通液室（図示せず）とが形成されている。本実施形態の各記録ヘッド３には、上記の副走査方向に１２００ｄｐｉ（ドット／インチ）の密度で、１２８０個の吐出口３ａが配列されている。なお、図２において、Ｉ１は吐出口３ａから吐出されたインクを、Ｉ２はブレード１０に固着したインクをそれぞれ示している。
【００２０】
さらに、記録ヘッド３の各液路には、インクを吐出口３ａから吐出させるための吐出エネルギーを発生させるエネルギー発生素子が配置されている。このエネルギー発生素子として、本実施形態では、インクを局所的に加熱して膜沸騰を起こさせ、その圧力によってインクを吐出させる電気熱変換体が用いられている。但し、本発明はこれに限定されるものではなく、電気機械変換素子を用いることも可能である。なお、以下の説明においては、吐出口３ａと液路とを含めてノズルと称す。
【００２１】
また、キャリッジ２に搭載される記録ヘッドには、それぞれ異なる色材を含有した複数種類のインクを個別に収容した複数のインクタンクより供給される。本実施形態では、シアン、マゼンタ、イエロー、ブラックのインクの他に、形成する画像の粒状感の低減を目的として使用される淡シアン、淡マゼンタのインクを加えた計６色のインクをそれぞれ収容した６個のインクタンクがキャリッジ２に搭載される。そして、キャリッジ２に搭載された各インクタンクは、それぞれ対応する記録ヘッド３のインク供給口に連結されて各記録ヘッドにインクを供給する。
【００２２】
７は記録ヘッド３の各吐出口３ａからのインク吐出性能を良好な状態に保つための回復処理装置を示している。この回復処理装置７は、記録装置本体１の所定の位置に保持固定されている。この回復処理装置７は、吸引回復機構７Ａ，７Ｂと、これを昇降させる不図示の昇降機構と、ワイピング回復装置９と、インク受容箱８と、を備える。
【００２３】
吸引回復機構７Ａ，７Ｂは、回復処理の一形態である吸引回復処理を行う。ここで、吸引回復処理とは、記録ヘッドに形成された複数のノズルから強制的にインクを吸引することによって、ノズル内のインクを吐出に適した状態のインクに置き換える処理をいう。具体的には、この吸引回復機構７Ａ，７Ｂは、吐出口形成面３ｂ（図２参照）をキャップで覆うと共に、そのキャップに連通する不図示のポンプによってキャップ内に負圧を発生させ、その負圧によって吐出口３ａからインクを強制的に吸引する。なお、各吸引回復機構７Ａ，７Ｂは、それぞれが異なる３個の記録ヘッド３に対して吸引回復処理を行う。
【００２４】
また、回復処理の他の形態としては予備吐出がある。この予備吐出は、記録動作に寄与しないインク吐出をインク受容箱８に対して行うことにより、記録ヘッドの各ノズル内のインクを吐出に適した状態に保つ処理である。この予備吐出は、主として記録動作の開始時あるいは終了時などにおいて行われる。さらに、記録動作中に所定間隔毎に行われることもある。
【００２５】
また、ワイピング回復装置（ワイピング回復手段）９は、記録ヘッド３の移動経路の端部位置（例えば、記録ヘッドのホームポジション）に上下方向において対向可能な位置に設けられている。ワイピング回復機構９は、記録ヘッドの吐出口周辺、すなわち、吐出口形成面３ｂを、ワイピング部材（ブレード）１０を用いて払拭するワイピング機構（ワイピング手段）を備える。加えて、ワイピング回復機構９は、ブレード１０にクリーニング液（液体）を付与（塗布）するクリーニング液塗布機構（液体付与手段）１４を備える。このワイピング機構は、図２および図３に示すように、記録ヘッド３の吐出口形成面３ｂと略直交する面に沿って配置されたワイピング部材（ブレード）１０と、これを保持するブレードホルダ１０ａを吐出口の配列方向に移動させるワイパー移動機構とを備える。なお、クリーニング液塗布機構１４については後に説明する。
【００２６】
図４は、本実施形態におけるインクジェット記録装置の記録装置本体１に搭載される制御系（制御手段）の構成を示すブロック図である。図３において、１００は主制御部を示している。この主制御部１００はＣＰＵ１０１、ＲＯＭ１０２、ＲＡＭ１０３および入出力ポート１０４などを備える。ここで、ＣＰＵ１０１は、演算、制御、判別、設定などの処理動作を実行し、ＲＯＭ１０２には、このＣＰＵ１０１によって実行すべき制御プログラム等が格納されている。また、ＲＡＭ１０３は、インクの吐出／非吐出を表す２値の記録データを格納するバッファおよびＣＰＵ１０１による処理のワークエリア等として用いられる。
【００２７】
前記入出力ポート１０４には、前述の搬送ユニットにおける搬送モータ（ＬＦモータ）１１２、キャリッジモータ（ＣＲモータ）１１３、記録ヘッド３、および回復処理装置７などの各駆動回路１０５，１０６，１０７，１０９が接続されている。さらに、入出力ポート１０４には、記録ヘッドの温度を検出するヘッド温度センサ（ヘッド温度検出手段）１１４やキャリッジ２に固定されたエンコーダセンサ１１０などをはじめとするその他のセンサ類が接続されている。また、前記主制御部１００はインターフェース回路１１１を介してホストコンピュータ１１６に接続されている。
【００２８】
１１５はキャリッジ２に装着されているインクタンクの情報を読み取るインク情報読取部である。各インクタンクには、内部に収容されているインクの種類情報、インク残量などを表す情報を記憶したメモリチップが設けられている。インク情報読取部１１５は、キャリッジ２に装着されたインクタンクのメモリチップに格納された情報を読み取り、その情報を主制御部１０に送る。主制御部１０は、受信した情報に基き、記録ヘッドから吐出可能なインクの種類を判断し、その判断結果に基き予め定めた回復動作を実行する。  
なお、本実施形態におけるキャリッジ２には、ブラックのインクタンクを装着する装着部として、１個の装着部が設けられている。このため、ブラックインクとして、マットブラックからフォトブラックに変更する場合には、既に装着されているマットブラックのインクタンクを取り外し、フォトブラックのインクタンクを装着するようになっている。この際、ブラックの装着部に、フォトブラックのインクタンクと、マットブラックのインクタンクのいずれが装着されたかの判断は、各タンクに設けられたメモリチップの情報に基いて行う。
【００２９】
但し、キャリッジ２によっては、マットブラックのインクタンク、フォトブラックのインクタンクそれぞれに対して専用の装着部を設けているものもある。この場合には、各装着部にインクタンクが装着されているか否かの情報、および装着されているインクタンクのインク残量情報などに基づいて、記録ヘッド３から吐出可能なインクを判断する。さらに、その判断結果と、設定されている記録モードとに基き、主制御部１００が使用するインクの種類を決定する。この場合、記録モードとしては、使用する記録媒体に応じたモードの選択（例えば、普通紙モード、光沢紙モードなど）や、記録画像モード（テキスト画像モード、写真調画像モードなど）などの選択がある。
【００３０】
次に、以上の構成を有するインクジェット記録装置によって実行される記録動作およびブレード回復処理を説明する。  
まず、記録動作の概略を説明する。  
ホストコンピュータ１１６からインターフェースを介して記録データを受信すると、その記録データはＲＡＭ１０３のバッファに展開される。そして、記録動作が指示されると、不図示の搬送ユニットが作動し、記録媒体を記録ヘッド３との対向位置へと搬送する。ここで、キャリッジ２はガイド軸４に沿って主走査方向（Ｘ方向）へと移動する。キャリッジ２の移動に伴って、記録ヘッド３からはインク滴が吐出され、記録用紙に１バンド分の画像が記録される。この後、搬送ユニットにより、記録媒体はキャリッジ２と直交する方向（副走査方向）に１バンド分だけ搬送される。以上の動作を繰り返すことにより、記録媒体には所定の画像が形成される。
【００３１】
なお、キャリッジ２の位置は、キャリッジ２の移動に伴ってエンコーダセンサ１１０から出力されるパルス信号を主制御部１００でカウントすることにより検出される。すなわち、エンコーダセンサ１１０は、主走査方向に沿って配置されたエンコーダフィルム６（図１参照）に一定の間隔で形成された検出部を検出することによってパルス信号を主制御部１００へ出力する。主制御部１００はこのパルス信号をカウントすることにより、キャリッジ２の位置を検出する。キャリッジ２のホームポジションおよびその他の位置への移動は、エンコーダセンサ１１０からの信号に基づいて行われる。
【００３２】
次に、本実施形態によって実行されるワイピング回復処理について説明する。  
ワイピング回復処理を行う場合には、まず、キャリッジ２を移動させて、図２に示すように記録ヘッド３の吐出口形成面３ｂをワイピング機構９に対向させて吐出口３ａからインクを吐出させる。この後、回復装置７の昇降機構によってワイピング機構９を上昇させ、ブレード１０を記録ヘッドの吐出口形成面３ｂに接触させる。ここで、ワイピング機構９がブレード１０を記録ヘッド３のノズル配列方向（Ｙ方向）へ移動させ、吐出口形成面３ｂに付着する塵埃やインクをブレード１０によってワイピングして除去する。この際、ブレード１０には、吐出口形成面３ｂに付着しているインクが付着する。なお、このワイピング回復処理は、予め設定した所定のタイミング、例えば、吸引回復処理を行った後、あるいは一定枚数分の記録動作が終了した後などに行われる。
【００３３】
従来のワイピング回復処理では、ブレード１０が吐出口形成面３ｂに対して常に一定数だけワイピングあるいはワイピングへのクリーニング液塗布やブレードへのインク吐出を行うようになっている。
【００３４】
このため、吐出口形成面３ｂおよびブレード１０に付着しているインクが一定量以下である場合には、吐出口形成面３ｂからインクを適正に除去することができることもある。しかし、高い記録率および大面積の画像を記録する場合などのように、記録ヘッドから吐出されたインク滴数が多い場合には、吐出時に吐出口形成面３ｂに残留するインクおよびインクミストなどが増大する。このため、吐出口形成面３ｂおよびブレード１０には多くのインクが付着し、従来のワイピング回復では、吐出口形成面３ｂからインクを十分に除去できないことがある。もっとも、記録ヘッドにおける最大インク吐出数、すなわち、吐出口形成面に付着するインクの最大量を想定してワイピング数を設定すれば、インクを適正に除去することも可能である。しかし、この場合には、インク吐出数が少量であると、必要以上のワイピングが実行されることとなり、記録速度の低下、吐出口形成面およびブレードの磨耗が著しくなるという不都合が新たに発生する。
【００３５】
また、長期に亘って吐出動作が停止している場合、あるいはインクの吐出によって吐出口形成面３ｂの温度が上昇した場合には、ブレード１０および吐出口形成面３ｂに付着したインクは、増粘あるいは固着した状態となる。これは、マット系ブラックインクのような増粘し易いインクを使用した場合に、特に顕著になることが確認されている。そして、吐出口形成面３ｂおよびブレード１０に付着したインクが増粘あるいは固着した状態にあると、ブレード１０によるインクの除去はさらに困難になる。
【００３６】
そこで、本実施形態では、インクの種類の交換にともなってインク情報読取部１１５によってブレード１０のワイピング数やワイピングの動作速度及びブレードへのインク吐出数の増減を制御している。すなわち、主制御部１００のＣＰＵ１０１は、インク情報読取部１１５から出力されるインク交換情報でインク種類が変更されたか否かを判断する。
【００３７】
ここで、インク種類の交換されるインクの粘度が交換前のインクよりも低い場合には、ブレード１０に対してインクを予め定めた第１の吐出数だけ吐出させる。その後、突出ブレード１０を予め定めた第１のワイピング数だけワイピングさせる。このときのワイピングは、前記の第１のワイピング速度で行う。また、インク種類の交換されるインクの粘度が交換前のインクよりも高い場合には、ブレード１０への吐出数を第１の吐出数より多い第２の吐出数だけ吐出すると共に、ブレード１０を第１のワイピング数より多い第２のワイピング数だけワイピングさせる。すなわち、前記記録ヘッドから吐出されるインクの粘度の高低に応じて、前記液体付与手段から前記ワイピング部材への液体の供給量を増減させる。また、このときのワイピングは、前記の第１のワイピング速度よりも遅い第２のワイピング速度で行う。すなわち、記録ヘッドから吐出されるインクの粘度の高低に応じて、前記ワイピング部材によって行われるワイピング動作速度を、前記粘度の高いインクを吐出する場合に比べて低下させる。
【００３８】
このように、本実施形態では、記録ヘッドに供給されるインクの種類に応じて、前記ワイピング回復手段のワイピング回復処理に関連する動作を制御している。すなわち、インクの種類が交換されたか否かに応じて、ブレード１０に対するインク滴の吐出数、ブレード１０によるワイピング数、およびワイピング速度を２段階に変化させている。このため、インク粘度が高くブレード１０に多くのインクが付着した場合にも、多数のインク滴を吐出することでブレード１０に付着したインクを十分に溶解させた状態でワイピング回復を行うことができる。しかも、ブレード１０によるワイピングが多数回行われると共に、そのワイピングをゆっくりと行うため、吐出口形成面３ｂおよびブレード１０に付着したインクを確実に除去することができる。また、インク粘度が低い場合に、過剰にワイピング処理が行われることもなくなり、記録ヘッド３の吐出口形成面３ａおよびブレード１０の磨耗を軽減することができる。
【００３９】
また、本実施形態では、ブレード１０に対し、淡シアンあるいはシアンなどの比較的増粘し難い、少なくとも一種類のインクを吐出している。このため、ブレード１０および吐出口形成面に付着したインクをより溶解し易くすることができ、その後に行われるワイピング処理をより確実に行うことが可能になっている。また、本実施形態では、ブレード１０に当接可能なスクレーパ１５を用いて、クリーニング液をブレード１０に塗布させることで、ブレード１０および吐出口形成面に付着したインクを同様により溶解し易くすることができる。このため、その後に行われるワイピング処理を、より一層、確実に行うことが可能になる。
【００４０】
以下、本実施形態で実行される回復処理の手順を、図５のフローチャートに基づき、より具体的に説明する。  
図４のフローチャートには上記実施例のうちブレード１０上にインクを吐出する場合の回復処理手順を示す。  
本手順は、記録ヘッド３の吐出口形成面３ｂがキャップによって覆われている状態から記録動作が開始されるまでの間に実行される回復動作の一例である。  
まず、回復処理装置をその昇降機構によって下降させる（ステップ１）。このときブレードは、ワイピング機構の動作によって記録ヘッド３の吐出口形成面３ｂと接触せずに、ワイピング方向（Ｙ１およびＹ２方向）へと前進・後退することができる位置にある。
【００４１】
前回の回復動作によってワイピングを繰り返したブレード１０の一部には、粘度の高いインクが増粘あるいは固着した状態で付着している可能性がある。このため、ブレード１０に付着した増粘あるいは固着したインクに対して、粘度の低い淡シアンインクまたはシアンインクをブレードに直接吐出できる位置までキャリッジ２とブレード１０を移動させる（ステップ２）。
【００４２】
次に、記録ヘッド３からブレード１０へと淡シアンインクまたはシアンインクを吐出させつつ、ワイピング機構によるブレード１０を前進させる。そして、ブレード１０に対し淡シアンインクまたはシアンインクを直接吐出する（ステップ３，４，５）。その後、ブレード１０が後退を開始すると同時に、再び淡シアンインクまたはシアンインクをブレード１０へと直接吐出する（ステップ６，７，８）。  
このブレード１０へのインク吐出数は、前述のように、インク情報読取部１１５から受信したインク種類情報に応じて変更される。すなわち、第１の吐出数または第２の吐出数で吐出が行われる。
【００４３】
次に、キャリッジ２をホームポジションへ戻し（ステップ９）、昇降機構によって回復処理装置７を上昇させる（ステップ１０）。ここでブレード１０を前進、後退させ、ワイピング回復処理を実行する（ステップ１１）。このワイピング回復処理におけるワイピングの回数も、インク情報読取部１１５から受信したインク種類情報に応じて変更される。すなわち、交換されたインクの粘度が低くなる場合、例えばブラックのインクとして、マットブラックからフォトブラックに交換された場合には、第１のワイピング数だけワイピングを行う。また、交換されるインクの粘度が高くなる場合、例えば、フォトブラックからマットブラックに交換された場合には、第２のワイピング数だけブレード１０をワイピングさせる。また、このワイピング回復処理におけるワイピングの速度も、インク情報読取部１１５から受信したインク種類情報に応じて変更される。すなわち、交換されるインクの粘度が低くなる場合には、第１のワイピング速度でブレードをワイピングさせる。また、交換されるインクの粘度が高くなる場合には、第２のワイピング速度でブレード１０をワイピングさせる。
【００４４】
ワイピング動作が終了すると、回復処理装置７を下降させ（ステップ１２）、ブレード１０を元の位置へと後退させて（ステップ１３）、空吸引動作を行う（ステップ１４）。この空吸引動作は、キャップ、ポンプおよびこれらに連通する廃インクチューブなどに受容されたインクを、図外の廃インクタンクへ導くために行う処理である。この空吸引動作は、このキャップを大気に開放した状態でポンプを作動させることにより行う。この空吸引動作が終了した後、通常の記録動作を開始する（ステップ１５）。
【００４５】
以上のように、上記実施形態では、インクの種類が変更された際に、そのインクの粘度の高低を判断し、その判断結果に応じて、ワイピングの回数とワイピング速度とブレード１０へのインク吐出数を変更する場合を例に採り説明した。しかし、装置の使用条件あるいは使用環境などによっては、上記の判断結果に基づき、ワイピングの回数のみ、あるいは、ワイピングの速度のみ、あるいはブレード１０へのインク吐出数のみを変更するようにしても良い。この場合にも、従来に比べて回復性能の向上を期待できる。
【００４６】
また、以上の説明では、交換するインクの粘度に応じてワイピング数、速度および／またはブレード１０へのインク吐出数を２段階に変更するようにした。しかし、ワイピング数、ワイピング速度および／またはブレード１０へのインク吐出数は、インクの粘度に応じて２段階以上の段階数で、あるいは連続的に変更するようにしても良い。
【００４７】
また、上記実施形態では、インクが交換された際に、インクの粘度の高低を判断するもものとしたが、インクの種類としてインクの粘度以外の物性を判断することも有効である。つまり、上記実施形態では、ブレード１０や記録ヘッドの吐出口形成面３ｂに付着しやすいインクの特性として粘度に着目したが、インクが固化し易い特性として粘度以外のインクの組成などに着目して、ワイピング回復を制御するようにしても良い。
【００４８】
さらに、インクの特性だけでなく、記録ヘッドのヘッド温度、あるいはインクの吐出したカウント数なども勘案してワイピング数、速度および／またはブレード１０へのインク吐出数を変更するよう構成することも可能である。
【００４９】
また、図５のフローチャートに示す動作では、ステップ４、７のブレード１０の前進、後退の両方向への移動時にインクの吐出を行った。しかし、ブレードの一方向への移動におけるインク吐出動作のみでブレードに付着したインクの溶解が可能な場合には、付着したインク溶解のためのブレードの移動を片方向のみとすればよい。  
また、上記実施形態では、回復処理装置に昇降機構を有している場合について述べたが、昇降機構を有さない装置にも適用可能である。
【００５０】
ところで、上記実施形態では、ワイピング回復動作において、ブレード１０にインクを吐出させる場合を例に採り説明した。しかし、本発明はこれに限定されるものではなく、ブレード１０上にインクを吐出させずに、スクレーパ１５からクリーニング液をブレード１０に塗布させるだけでも、ブレード１０上に固着あるいは増粘したインクを取り除くことが可能である。
【００５１】
このクリーニング液塗布機構（クリーニング液塗布手段）１４は、図３に示すように構成されている。  
図３において、クリーニング液塗布機構１４には、ブレード１０に塗布するクリーニング液（ウエット液ともいう）を保持するウエット液保持部１７が設けられている。このウエット液保持部１７の下方部には、多孔質部材などからなる吸収体１６が設けられている。この吸収体１６はウエット液保持部１７に保持されているウエット液を吸収し、含浸した状態となっている。この吸収体１６の側面には、開口部を有するスクレーパ１５がブレード１０の往復移動範囲内に設けられている。すなわち、ブレード１０が図１に示す初期位置から往動方向（Ｙ１）方向へと移動し、記録ヘッド３の吐出口形成面３ａを払拭して通過した後、さらにＹ１方向へと移動することによってブレード１０は、スクレーパ１５に当接する。この当接時において、ブレード１０によってスクレーパ１５が吸収体を押圧し、吸収体１６内に含浸されているウェット液を滲出させ、その滲出したウエット液がブレード１０に塗布される。これにより、ブレード１０に固着しているインクが溶解され、さらにブレード１０がＹ１方向へと移動してスクレーパ１５に摺接することにより、溶解したインクがブレード１０から掻き落とされる。これにより、ブレード１０が清掃された状態となる。なお、本発明では、ブレード１０の移動によりブレード１０と当接し、吸収体１６を押圧したり、ブレード１０の移動により摺接することでブレード１０に固着、堆積したインクを掻き落す部材１５をスクレーパと称している。
【００５２】
本例では、ウエット液としてグリセリンを含む溶剤を用いているが、このウエット液は、グリセリンに限定されるものではない。例えば、水、グリセリンと水の混合物（５０対５０混合物）等の３価アルコール類や２−ピロリジン、エチレングリコール、ジエチレングリコール、トリエチレングリコール、テトラエチレングリコール等もウエット液として適用可能である。
【００５３】
このようにしてブレード１０にクリーニング液を塗布する場合、ステップ２から８までのブレード１０へのインク吐出動作を省略することも可能であり、回復処理時間を短縮することが可能になる。但し、このブレード１０へのインクの吐出動作と、スクレーパによるウエット液の塗布およびインクの掻き落とし動作とを併用すれば、清掃されたブレードでワイピングを行うことができ、より確実に記録ヘッドから不要なインクを除去することができる。
【００５４】
また、このクリーニング液塗布機構１４を用いる場合、記録ヘッド３から吐出するインクの種類によって、スクレーパ１５に対するブレード１０の接触時間を変化させるようにすることも有効である。すなわち、記録ヘッドから吐出されるインクが粘度の低いインクから粘度の高いインクに変更された場合には、ブレード１０とスクレーパ１５との接触時間を増大させるようにする。これは、ブレード１０の移動速度を低速にしたり、あるいはブレード１０がスクレーパ１５に当接した時点でスクレーパの移動を一定時間停止させるように制御することで実現可能である。また逆に、記録ヘッド３から吐出されるインクが、粘度の高いインクから粘度の低いインクに変更された場合には、ブレード１０とスクレーパ１５との接触時間を減少させるべく、ブレード１０の移動速度を増大させるようにする。
【実施例】
【００５５】
次に、上記実施形態における回復処理を実行する実施例１および実施例２のインク吐出精度と、従来の回復処理を実行する比較例１および比較例２のインク吐出精度との比較結果について述べる。なお、比較例１は、実施例１に対応する比較例であり、比較例２は実施例２に対応する比較例である。
【００５６】
（比較例１）
この比較例では、以下のような回復処理を実行した。
Ａ：ブレード上への吐出
ａ１；吐出インクの種類
・シアンインクおよび淡シアンインク
ａ２；吐出数
・５０発（インクの種類に関係なく一定）
Ｂ：ワイピング回数
・１回（インク種類に関係なく一定）
Ｃ：ワイピング速度
・１２０ｍｍ／ｓｅｃ（インク種類に関係なく一定）
Ｄ：クリーニング液塗布機構
・なし
【００５７】
（実施例１）
この実施例１では、以下のような回復処理を実行した。
Ａ）ブレード上への吐出
ａ１；吐出インクの種類
・シアンインクおよび淡シアンインク
ａ２；インク種類が交換前よりも低粘度の場合の各インクのブレードへの吐出数
・５０発（１ノズルあたり）
ａ３；インク種類が交換前よりも高粘度の場合の各インクのブレードへの吐出数
・１００発（1ノズルあたり）
Ｂ）ワイピング回数
ｂ１；インク種類が交換前よりも低粘度の場合のワイピング回数
・記録前のワイピング回数；１回
・記録後のワイピング回数；１回
ｂ２；インク種類が交換前よりも高粘度の場合のワイピング回数
・記録前のワイピング回数；１回
・記録後のワイピング回数；２回
Ｃ）ワイピング速度
ｃ１；インク種類が交換前よりも低粘度の場合のワイピング速度
・記録前のワイピング速度；１２０ｍｍ／ｓｅｃ
・記録後のワイピング速度；１２０ｍｍ／ｓｅｃ
ｃ２；インク種類が交換前よりも高粘度の場合のワイピング回数
・記録前のワイピング速度；８０ｍｍ／ｓｅｃ
・記録後のワイピング速度；８０ｍｍ／ｓｅｃ
Ｄ）クリーニング液塗布機構
・なし
【００５８】
（比較例２）
この比較例２では、以下のような回復処理を実行した。
・吐出なし
Ａ：ブレード上への吐出
・吐出なし
Ｂ：ワイピング回数
・１回（インク種類に関係なく一定）
Ｃ：ワイピング速度
・１２０ｍｍ／ｓｅｃ（インク種類に関係なく一定）
Ｄ： クリーニング液塗布機構
ｄ１；クリーニング液
グリセリンと水の混合液
【００５９】
（実施例２）
この実施例２では、以下のような回復処理を実行した。
Ａ）ブレード上への吐出
・吐出なし
Ｂ）ワイピング回数
ｂ１；インク種類が交換前よりも低粘度の場合のワイピング回数
・記録前のワイピング回数；１回
・記録後のワイピング回数；１回
ｂ２；インク種類が交換前よりも高粘度の場合のワイピング回数
・記録前のワイピング回数；１回
・記録後のワイピング回数；２回
Ｃ）ワイピング速度
ｃ１；インク種類が交換前よりも低粘度の場合のワイピング速度
・記録前のワイピング速度；１２０ｍｍ／ｓｅｃ
・記録後のワイピング速度；８０ｍｍ／ｓｅｃ
ｃ２；インク種類が交換前よりも高粘度の場合のワイピング回数
・記録前のワイピング速度；８０ｍｍ／ｓｅｃ
・記録後のワイピング速度；６０ｍｍ／ｓｅｃ
Ｄ）クリーニング液塗布機構
ｄ１；クリーニング液
グリセリンと水の混合液
ここで、上記実施例1、２および上記比較例の記録条件は以下のよう設定した。
【００６０】
１０３０ｍｍ×１００ｍｍの記録媒体に対し、各色打ち込み量20％のベタ画像を１０００枚出力する（パス数：６、キャリッジ速度：３３．３inch/sec）。その中で２００枚ごとに特定のパターンを出力する（パス数：１、キャリッジ速度１８．４inch/sec）。
【００６１】
上記パターンに基づき、吐出インクの目標着弾位置と実際の着弾位置とのメディア搬送方向におけるずれ量のばらつき（Y方向ヨレ量）を測定し、その測定値の標準偏差によって実施例１および実施例２による着弾精度と比較例による着弾精度との違いを比較した。なお、Y方向ヨレ量σ（μm）は以下の式により求めた。
【００６２】
【数１】
2008126576.tif 000003
【００６３】
2008126576.tif 000004
【００６４】
なお、測定する環境は、温度２５℃、湿度４０％とした。
また、記録ヘッドにはシアン、マゼンタ、イエロー、淡シアン、淡マゼンタ、およびマット系ブラックの６色のインクを搭載した。２００枚、６００枚、１０００枚のタイミングで交換するインクの種類は、マット系ブラックから、マット系ブラックよりも粘度の低いフォト系ブラックに交換した。また、４００枚、８００枚のタイミングでマット系ブラックに交換した。上記のＹ方向へのヨレ量の測定には、ブラックインクで記録したパターンを使用した。
【００６５】
表１に、本発明の比較例、実施例１、実施例２における、記録枚数に対するＹ方向ヨレ量（μm）の結果を示す。
【００６６】
【表１】
2008126576.tif 000005
【００６７】
上記結果に示されるように、比較例１、比較例２のY方向ヨレ量は、記録開始から２００枚目でヨレが目立ちはじめ、１０００枚を記録した後には、比較例１では、約３８μｍ、比較例２では、約３５μｍのヨレが発生する。このヨレ量は、実際に記録された画像では白い筋としてユーザに認識されるレベルであり、画像品質を著しく低下させる要因となる。
【００６８】
一方、本発明の実施例１および実施例２のY方向ヨレ量は、記録開始から１０００枚目まで安定して１０μｍ以下となった。このヨレ量は、実際に記録される画像ではユーザによって認識されないレベルであり、画像品質の低下を生じない。この結果により、上記実施例１および実施例２では、吐出口形成面３ｂから適正にインクを除去することができるということが明らかとなった。
【産業上の利用可能性】
【００６９】
本発明は、紙や布、革、不織布、ＯＨＰ用紙等、さらには、金属などの記録媒体を用いる機器すべてに適用可能である。具体的な適用機器としては、プリンタ、複写機、ファクシミリ等の事務機器や、工業用生産機器などを挙げることができる。また、本発明は、大型の記録媒体に対して高速に記録を行う機器などに特に有効である。
【図面の簡単な説明】
【００７０】
【図１】本発明の実施形態に係るインクジェット記録装置を示す平面図である。
【図２】本発明の実施形態における記録ヘッドおよびブレードを模式的に示す斜視図である。
【図３】本発明の実施形態におけるクリーニング液塗布機構を模式的に示す側面図である。
【図４】本発明の実施形態に係る制御系回路の概略構成を示すブロック図である。
【図５】本発明の実施形態により行われる吐出回復処理の一例を示すフローチャートである。
【符号の説明】
【００７１】
１  記録装置本体
２  キャリッジ
３  記録ヘッド
３ａ  吐出口
３ｂ  吐出口形成面
４  ガイド軸
５  無端ベルト
６  エンコーダフィルム
７  回復処理装置
７Ａ，７Ｂ  吸引回復機構
８  予備吐出インク受容箱
９  ワイピング機構
１０  ワイピング部材（ブレード）
１４  クリーニング塗布機構
１５  スクレーパ
１６  吸収体
１７  ウエット液保持部
１００  主制御部
１０１  ＣＰＵ
１０２  ＲＯＭ
１０３  ＲＡＭ
１１５  インク情報読取部
１１６  ホストコンピュータ
【図１】
2008126576.tif 000006
【図２】
2008126576.tif 000007
【図３】
2008126576.tif 000008
【図４】
2008126576.tif 000009
【図５】
2008126576.tif 000010